(57)【特許請求の範囲】
【請求項１】
電線の上方に、該電線に沿って張架される鳥害防止用索条を保持するために用いられる鳥害防止用索条の保持具であって、
電線に支持される保持具本体と、
前記保持具本体から鉛直上方に突出する軸体と、
前記軸体の先端に連なり、鳥害防止用索条が巻掛けられる板状の保持体と、を含み、
前記保持体は、
前記軸体の軸線方向に間隔をあけて、該軸体の軸線に垂直な方向に延び、前記鳥害防止用索条が巻掛けられる一対の巻回部と、
前記一対の巻回部の少なくとも一方端部間にわたって延び、前記鳥害防止用索条を挿入して係止可能な切欠きが形成された側壁部と、を備えることを特徴とする鳥害防止用索条の保持具。
【請求項２】
前記切欠きは、前記軸体の軸線に垂直な方向に延びて形成され、
前記側壁部は、前記軸体の軸線に平行に延びる側端部から前記軸体に対して離反する側に突出する突出部を含み、
前記突出部に、前記切欠きが形成されることを特徴とする請求項１に記載の鳥害防止用索条の保持具。
【発明の詳細な説明】
【技術分野】
【０００１】
本発明は、たとえば架空電線に、鳥が飛来して停まることを防ぐために、電線に沿って平行に配置されるワイヤ、テグスなどの線状体から成る索条を、保持する鳥害防止用索条の保持具に関する。
【背景技術】
【０００２】
典型的な従来技術の索条保持具は、たとえば特許文献１、２に開示される。この特許文献１、２では、電柱間の架空電線への鳥の飛来を防止するために、電線に平行に張架される索条を、その長尺方向に間隔をあけて電線に保持する複数の各保持具が設けられる。索条保持具は、比較的複雑な構成を有し、重量が大きい。したがって、保持具によって電線に作用する不所望な張力を軽減し、索状を電線に平行に張架する作業を容易に行うことができる鳥害防止用索条の保持具が望まれている。
【先行技術文献】
【特許文献】
【０００３】
【特許文献１】特許第４６６９２７７号
【特許文献２】特許第４７４０９１１号
【発明の概要】
【発明が解決しようとする課題】
【０００４】
本発明の目的は、構成が簡略化された軽量でかつ索状の張架作業を容易に行うことができる鳥害防止用索条の保持具を提供することである。
【課題を解決するための手段】
【０００５】
本発明は、電線の上方に、該電線に沿って張架される鳥害防止用索条を保持するために用いられる鳥害防止用索条の保持具であって、
電線に支持される保持具本体と、
前記保持具本体から鉛直上方に突出する軸体と、
前記軸体の先端に連なり、鳥害防止用索条が巻掛けられる板状の保持体と、を含み、
前記保持体は、
前記軸体の軸線方向に間隔をあけて、該軸体の軸線に垂直な方向に延び、前記鳥害防止用索条が巻掛けられる一対の巻回部と、
前記一対の巻回部の少なくとも一方端部間にわたって延び、前記鳥害防止用索条を挿入して係止可能な切欠きが形成された側壁部と、を備えることを特徴とする鳥害防止用索条の保持具である。
【０００６】
また本発明は、前記切欠きは、前記軸体の軸線に垂直な方向に延びて形成され、
前記側壁部は、前記軸体の軸線に平行に延びる側端部から前記軸体に対して離反する側に突出する突出部を含み、
前記突出部に、前記切欠きが形成されることを特徴とする。
【発明の効果】
【０００７】
本発明によれば、電線に支持される保持具本体と、保持具本体から鉛直上方に突出する軸体と、軸体の先端に連なり、鳥害防止用索条が巻掛けられる板状の保持体とを有する。保持体は、軸体の軸線方向に間隔をあけて、該軸体の軸線に垂直な方向に延び、鳥害防止用索条が巻掛けられる一対の巻回部と、一対の巻回部の少なくとも一方端部間にわたって延び、鳥害防止用索条を挿入して係止可能な切欠きが形成された側壁部とを備える。
【０００８】
保持具本体が電線に支持され、この保持具本体に軸体を介して板状の保持体が設けられるので、簡素な構成で、電線上に鳥害防止用索条を保持する軽量な保持具を実現することができる。一対の巻回部に巻掛けられた鳥害防止用索条は、側壁部の切欠きに挿入することによって係止されるので、保持具本体に電線が挿入された状態で、作業者が鳥害防止用索条の切欠きから連なる部分を把持して保持具を移動させることによって、切欠きから鳥害防止用索条が離脱し、一対の巻回部に巻掛けられた部分が解放され、保持具から垂下した状態とすることができる。
【０００９】
したがって、一方の電柱から他方の電柱にわたって張架される電線に沿って鳥害防止用索条を張架するとき、鳥害防止用索条が一対の巻回部に巻回されかつ切欠きに係止された複数の保持具を準備し、作業者が上記のように切欠きから延びる部分を把持して、一方の電柱から他方の電柱に向かって順次的に送り出すことによって、各保持具の一対の巻回部に巻回されていた鳥害防止用索条を解いて、各保持具間に垂下させた状態から各電柱間に延びる電線に沿って張架することができる。これによって、鳥害防止用索条の張架作業が容易化され、高所での張架作業の安全性、作業性を向上することができる。
【００１０】
また本発明によれば、切欠きは軸体の軸線に垂直な方向に延び、側壁部は側端部から軸体に対して離反する側に突出する突出部を有し、この突出部に切欠きが形成されるので、一対の巻回部に巻回されている鳥害防止用索条から切欠きを露出させた状態とし、切欠きが巻回された鳥害防止用索条によって覆われてしまうことを防ぐことができる。これによって、一対の巻回部に巻回した鳥害防止用索条の巻き終わりの部分を切欠きに挿入して、確実に係止し、かつその係止状態を解除することができる。
【図面の簡単な説明】
【００１１】
【図１】本発明の一実施形態の鳥害防止用索条の保持具１を示す斜視図である。
【図２】電線２が電柱３，４間に張架された状態を示す簡略化した斜視図である。
【図３】保持体１０の拡大正面図である。
【図４】図３の切断面線ＩＶ−ＩＶから見た保持体１０の拡大断面図である。
【図５】突出部１２ｂ付近の拡大正面図である。
【発明を実施するための形態】
【００１２】
図１は本発明の一実施形態の鳥害防止用索条の保持具１を示す斜視図であり、図２は電線２が電柱３，４間に張架された状態を示す簡略化した斜視図である。隣接する２本の電柱３，４間の電線２には、各電柱３，４近傍で固定具５，６が固定され、これらの固定具５，６によって索条７の両端部が固定される。索条７は、電線２と平行に張架され、電線２の軸線と索条７の軸線とは、静止状態において、共通な一鉛直面（図１の紙面に平行な平面）内にあり、この索条７が障害となって、飛来した鳥が電線２に停まることが防がれる。このように、保持具１は、電線２の上方に、電線２に沿って張架される索条７を保持するために、複数の保持具が各電柱３，４間に配設して用いられる。
【００１３】
保持具１は、電線２に支持される保持具本体８と、保持具本体８から鉛直上方に突出する軸体９と、軸体９の先端に連なり、索条７が巻掛けられる板状の保持体１０とを含む。保持体１０は、軸体９の軸線Ｌ１に間隔をあけて、軸体９の軸線Ｌ１に垂直な方向に延び、索条７が巻掛けられる一対の巻回部１１ａ，１１ｂと、一対の巻回部１１ａ，１１ｂの両端部間にわたって延び、索条７を挿入して係止可能な切欠き１２ａ，１２ｂが形成された側壁部１３ａ，１３ｂとを備える。
【００１４】
このような保持体１０は、軸体９の軸線Ｌ１を含む仮想一平面に関して面対称に構成されるが、本発明の他の実施形態では、一対の巻回部１１ａ，１１ｂの片側だけに側壁部１３ａ（または１３ｂ）が形成され、一対の巻回部１１ａ，１１ｂの少なくとも一方端部が側壁部１３ａ（または１３ｂ）によって連なる構成であってもよい。
【００１５】
保持具本体８は、電線２の上方を跨ぐ、下方に開放する凹状に湾曲した跨ぎ部１６と、跨ぎ部１６の周方向両端部１６ａ，１６ｂに連なって周方向に延び、電線２の軸線方向にずれて重なるように配置され、上方に開放する凹状に湾曲した一対の受け部１７ａ，１７ｂから突出するにつれて互いに離反する方向に傾斜した一対の案内部１８ａ，１８ｂとを有する。
【００１６】
各受け部１７ａ，１７ｂは、電線２の軸線方向に間隔△Ｌ１をあけて、電線２の軸線方向に離間し、各案内部１８ａ，１８ｂの、各受け部１７ａ，１７ｂに連なる基端部も同様な間隔△Ｌ１をあけて離間し、電線２の抜出を防止している。各案内部１８ａ，１８ｂの遊端部は、電線２の軸線方向に間隔△Ｌ２をあけて離間している。これによって電線２を各案内部１８ａ，１８ｂ内に配置し、作業者が把持用操作具によって一方の案内部１８ａ（または１８ｂ）を把持して、引張ることによって、電線２を各案内部１８ａ，１８ｂ間を通過させて、図１の仮想線で示されるように、電線２を跨ぎ部１６内に挿入することができる。
【００１７】
保持具１は、合成樹脂の射出成形によって製造することができる。合成樹脂としては、たとえばポリカーボネート、ＡＢＳ（Acrylonitrile-Butadiene-Styrene）、ＡＥＳ（Acrylonitrile-Ethylene-Styrene resin）、ポリプロピレンのうちのいずれか１つを選択的に用いることができる。
【００１８】
図３は保持体１０の拡大正面図であり、図４は図３の切断面線ＩＶ−ＩＶから見た保持体１０の拡大断面図であり、図５は突出部１２ｂ付近の拡大正面図である。前述の保持体１０において、各側壁部１３ａ，１３ｂは、軸体９の軸線Ｌ１に平行に延びる側端部２１ａ，２１ｂから軸体９に対して離反する側に突出する突出部２２ａ，２２ｂを有する。各突出部２２ａ，２２ｂには、前述の切欠き１２ａ，１２ｂが軸体９の軸線Ｌ１に垂直に延びて形成される。
【００１９】
各側壁部１３ａ，１３ｂの軸線Ｌ１に平行な長手方向両端部には、索条７が挿通される挿通孔２３ａ，２３ｂ；２４ａ，２４ｂと、各挿通孔２３ａ，２３ｂ；２４ａ，２４ｂと外部とに連通する切欠き２５ａ，２５ｂ；２６ａ，２６ｂとが形成される。上段の挿通孔２３ａ，２３ｂを用いる場合には、一方の切欠き２５ａを介して一方の挿通孔２３ａに保持体１０の一表面（裏）側から他表面（表）側へ挿通された索条７は、下段の押さえ片２８の裏を通って他方の切欠き２５ｂを介して他方の挿通孔２３ｂに他表面（表）側から一表面（裏）側へ挿通され、各挿通孔２３ａ，２３ｂ間にわたって略Ｖ字状に張架されて係止される。
【００２０】
各巻回部１１ａ，１１ｂにおける各側壁部１３ａ，１３ｂ間の中央部には、透孔２７，２８と、正面視において透孔２７，２８内に突出して重なるように形成された断面略Ｌ字状の押さえ片２９，３０とが、一表面側にそれぞれ設けられる。各挿通孔２３ａ，２３ｂ間に張架された索条７は、下側の透孔２８に嵌まり込み、押さえ片３０の裏側を通って、押さえ片３０の外周部と透孔３０を規定する内周部との間で弾発的に押圧される。また、電線２に索条７を近づけて張架するために、下段（すなわち軸体９寄り）に配設された各挿通孔２４ａ，２４ｂ間に索条７が張架された場合にも、その索条７が上段の透孔２８に嵌まり込み、押さえ片２７によって押さえ片２７の外周部と透孔２８を規定する内周部との間で弾発的に押圧される。このような構成によって索条７に大きな摩擦力を作用させ、風などによる保持具１のずれが防がれる。
【００２１】
本実施形態によれば、電線２に支持される保持具本体８と、保持具本体８から鉛直上方に突出する軸体９と、軸体９の先端に連なり、索条７が巻掛けられる板状の保持体１０とを有し、保持体１０は、軸体９の軸線Ｌ１方向に間隔をあけて、軸体９の軸線Ｌ１に垂直な方向に延び、索条７が巻掛けられる一対の巻回部１１ａ，１１ｂと、一対の巻回部１１ａ，１１ｂの、少なくとも一方端部を含む両端部間にわたって延び、索条７を挿入して係止可能な切欠き１２ａ，１２ｂが形成された側壁部１３ａ，１３ｂとを備える。このような構成によって、電線２上に索条７を保持する保持具１を、軽量化することができ、電線２への負荷を少なくすることができる。
【００２２】
また、一対の巻回部１１ａ，１１ｂに巻掛けられた索条７は、側壁部１３ａ，１３ｂの切欠き１２ａ，１２ｂに挿入することによって係止されるので、一方の電柱３において、保持具本体８に電線２が挿通された状態で、作業者が索条７の、切欠きに連なる部分を工具によって把持して保持具１を移動させることによって、切欠き１２ａ（または１２ｂ）から索条７が離脱し、巻回部１１ａ，１１ｂに巻掛けられた部分７ａ，７ｂが解放され、保持具１から垂下させた状態とすることができる。この状態で、各保持具１を他方の電柱４側へ順次移動させることによって、索条７を電線２と平行に各電柱３，４間に張架することができる。
【００２３】
このように各巻回部１１ａ，１１ｂに索条７を巻回した複数の保持具１を順次的に一方の電柱３から他方の電柱４に向かって移動させることによって、巻回された索条７が解きほどかれ、高所での索条７の張架作業を容易に行なうことができ、安全性、作業性を向上することができる。
【符号の説明】
【００２４】
１  保持具
２  電線
３，４  電柱
５，６  固定具
７  索条
８  保持具本体
９  軸体
１０  保持体
１１ａ，１１ｂ  巻回部
１２ａ，１２ｂ；２５ａ，２５ｂ；２６ａ，２６ｂ  切欠き
１３ａ，１３ｂ  側壁部
１６  跨ぎ部
１７ａ，１７ｂ  受け部
１８ａ，１８ｂ  案内部
２１ａ，２１ｂ  側端部
２２ａ，２２ｂ  突出部
２３ａ，２３ｂ；２４ａ，２４ｂ  挿通孔
２７，２８  凹部
２９，３０  押さえ片
【図１】
0006629093.tif 000002
【図２】
0006629093.tif 000003
【図３】
0006629093.tif 000004
【図４】
0006629093.tif 000005
【図５】
0006629093.tif 000006